【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
空気に曝される硬化鉄筋コンクリート要素中の鋼を防食する犠牲アノード鉄筋コンクリート防食アセンブリであって、
鉄筋コンクリート要素用の犠牲アノードおよび電界モディファイアを備え、
前記犠牲アノードが、鋼よりも卑な金属を含むとともに、鉄筋コンクリート要素中の鋼に当該犠牲アノードを電子接続するコネクタを含み、前記犠牲アノードが、前記電界モディファイアにより少なくとも部分的に取り囲まれており、
前記モディファイアが、カソード面と電子接続されたアノード面を有する要素を含み、前記アノード面が、酸化反応をサポートするように構成されたアノードを含み、このアノードが、前記カソード面から見て外方に向き、前記カソード面が、還元反応をサポートするように構成されたカソードを含み、
前記モディファイアが、前記犠牲アノードから分離されていることを特徴とするアセンブリ。
【請求項２】
請求項１に記載のアセンブリにおいて、
前記モディファイアのカソードが、空気中の酸素の還元を実質的に含む還元反応をサポートする空気カソードを含むことを特徴とするアセンブリ。
【請求項３】
請求項２に記載のアセンブリにおいて、
前記空気カソードへの空気中の酸素の動きを促進する、通気性を有する疎水性材料をさらに含むことを特徴とするアセンブリ。
【請求項４】
請求項１乃至３の何れか一項に記載のアセンブリにおいて、
前記犠牲アノードおよび前記モディファイアがそれぞれの有効寿命を有し、前記犠牲アノードの有効寿命が、前記モディファイアの有効寿命よりも大幅に長く、当該アセンブリは、少なくとも前記モディファイアの有効寿命が終了した後に電解質により前記犠牲アノードを前記コンクリート要素にイオン接続するためのパスを含むことを特徴とするアセンブリ。
【請求項５】
請求項４に記載のアセンブリにおいて、
前記モディファイアが、当該モディファイアの有効寿命の間に消費される材料を含み、前記材料が消費されるときに前記モディファイアが多孔質材料に変換され、前記犠牲アノードを前記コンクリート要素に接続するパスが、前記多孔質材料の気孔によって与えられるパスを含むことを特徴とするアセンブリ。
【請求項６】
請求項４に記載のアセンブリにおいて、
前記犠牲アノードを前記コンクリート要素に接続するパスが、前記モディファイアで前記犠牲アノードを部分的に取り囲むよって生じる開口部を含むことを特徴とするアセンブリ。
【請求項７】
請求項４に記載のアセンブリにおいて、
前記犠牲アノードを前記コンクリート要素に接続するパスが、前記モディファイア内のギャップまたは空隙を含むことを特徴とするアセンブリ。
【請求項８】
請求項１乃至７の何れか一項に記載のアセンブリにおいて、
前記モディファイアのカソード面が前記犠牲アノードを向くことを特徴とするアセンブリ。
【請求項９】
請求項１乃至８の何れか一項に記載のアセンブリにおいて、
前記犠牲アノードが、亜鉛および亜鉛合金からなる群から選択される金属を含むことを特徴とするアセンブリ。
【請求項１０】
請求項１乃至９の何れか一項に記載のアセンブリにおいて、
前記モディファイアのアノードが、亜鉛、アルミニウム、マグネシウム、亜鉛合金、アルミニウム合金およびマグネシウム合金からなる群の中から選択される金属を含むことを特徴とするアセンブリ。
【請求項１１】
請求項１乃至１０の何れか一項に記載のアセンブリにおいて、
前記モディファイアのカソードが、二酸化マンガン、炭素、銀およびニッケルからなる群の中から選択される材料を含むことを特徴とするアセンブリ。
【請求項１２】
請求項１乃至１１の何れか一項に記載のアセンブリにおいて、
前記犠牲アノードを活性化する活性化剤をさらに備えることを特徴とするアセンブリ。
【請求項１３】
請求項１乃至１２の何れか一項に記載のアセンブリにおいて、
前記犠牲アノードを前記モディファイアに接続するイオン伝導性の充填材をさらに備えることを特徴とするアセンブリ。
【請求項１４】
請求項１乃至１３の何れか一項に記載のアセンブリと、電解質を含む裏込め材とのコンビネーション。
【請求項１５】
請求項１乃至１４の何れか一項に記載の犠牲アノード鉄筋コンクリート防食アセンブリを使用して、空気に曝される硬化鉄筋コンクリート要素内の鋼を防食する方法であって、
電子伝導導体により前記犠牲アノードを鉄筋コンクリート要素中の鋼に電子接続するステップと、
電解質により前記モディファイアのカソードを前記犠牲アノードに接続するステップと、
電解質により前記モディファイアのアノードを前記コンクリート要素に接続するステップとを備えることを特徴とする方法。
【請求項１６】
請求項１５に記載の方法において、
前記モディファイアのカソードが、空気中の酸素の還元を実質的に含む還元反応をサポートする空気カソードを含むことを特徴とする方法。
【請求項１７】
請求項１５または１６に記載の方法において、
前記アセンブリの前記犠牲アノードおよび前記モディファイアがそれぞれの有効寿命を有し、前記犠牲アノードの有効寿命が、前記モディファイアの有効寿命よりも大幅に長く、前記アセンブリは、少なくとも前記モディファイアの有効寿命が終了した後に電解質により前記犠牲アノードを前記コンクリート要素にイオン接続するためのパスを含むことを特徴とする方法。
【請求項１８】
請求項１５乃至１７の何れか一項に記載の方法において、
コンクリート中にキャビティを形成するステップと、前記キャビティ内に前記アセンブリを配置するステップとをさらに備えることを特徴とする方法。
【請求項１９】
請求項１５に記載の方法において、
鋼の部分から離れる方向に電流の流れを促進するように、前記犠牲アノードに対して前記モディファイアを配置するステップをさらに含み、前記キャビティは、鋼が露出するコンクリートパッチ修復キャビティであり、前記鋼に電子接続するステップが、露出する鋼に電子接続することを含むことを特徴とする方法。
【請求項２０】
請求項１９に記載の方法において、
コンクリートパッチ修復の部位における鋼の部分に前記アセンブリの外面を結び付けるステップと、
前記鋼に結び付けられる前記アセンブリの外面から離れる方向に流れる電流を促進するように、前記犠牲アノードに対して前記モディファイアを配置するステップとをさらに備えることを特徴とする方法。
【請求項２１】
請求項２０に記載の方法において、
前記鋼に結び付けられる前記アセンブリの外面の方向と反対の方向に流れる電流を促進するように、前記犠牲アノードに対して前記モディファイアを配置するステップをさらに備えることを特徴とする方法。
【請求項２２】
請求項１８に記載の方法において、
前記キャビティを形成するステップが、前記アセンブリを受け入れるのに十分なサイズを有するキャビティを形成することを含むことを特徴とする方法。
【請求項２３】
請求項２２に記載の方法において、
裏込め材を提供するステップと、前記キャビティ内の裏込め材中に前記アセンブリを設置するステップとをさらに備え、前記裏込め材が、前記モディファイアのアノードを前記コンクリート要素に接続するのに使用される電解質を含むことを特徴とする方法。
【請求項２４】
請求項２３に記載の方法において、
前記裏込め材が、前記犠牲アノードを前記モディファイアのカソードに接続するのに使用される電解質を含むことを特徴とする方法。